(57)【要約】【課題】  ショッピングカートに載せた買物カゴを上げ下ろしすることなく、隣接するテーブル上に簡易且つ安全に水平移動することができるようにする。【解決手段】  ショッピングカート本体１に設けられた買物カゴ収容部４の側面板（買物カゴ支持部材）１２を、下端部を支点として上下方向に開閉可能に構成する。この側面板１２は、該側面板の横方向に延長して設けられた押さえ棒（係止部材）１３により、側面板１２を閉じた状態で係止することができる。即ち、押さえ棒１３の一端部を回動部とし、他端部をフック（止着部材）１４に係止する。【選択図】          図３
0003106702.tif 000002
【実用新案登録請求の範囲】
【請求項１】
買物カゴを載せて移動するためのショッピングカートにおいて、
前記ショッピングカート本体の買物カゴ収容部の側面部に設けられた買物カゴ支持部材を開閉可能に構成することを特徴とするショッピングカート。
【請求項２】
前記買物カゴ支持部材は、買物カゴ収容部を構成する側面板であり、この側面板の下端部を支点として上下方向に開閉可能に構成するとともに、該側面板を閉じた状態で系止するための係止部材を設けたこと特徴とする請求項１に記載のショッピングカート。
【請求項３】
前記係止部材は、前記側面板の横方向に延長して設けられた押さえ棒であり、該押さえ棒の一端部を回動部とし、他端部を止着部材に係止するように構成したことを特徴とする請求項２に記載のショッピングカート。
【請求項４】
前記買物カゴ支持部材は、棒状フレームであり、該棒状フレームの一端部を回動部とし、他端部を止着部材に係止するように構成したことを特徴とする請求項１に記載のショッピングカート。
【請求項５】
前記ショッピングカート本体の前記買物カゴ収容部の支持フレームを、上下動可能にし、前記買物カゴ収容部の高さを調節可能に構成したことを特徴とする請求項１から請求項４のいずれかに記載のショッピングカート。
【考案の詳細な説明】
【技術分野】
【０００１】
本考案は、スーパーマーケット等の店舗内で、買物客が商品運搬に使用するショッピングカートに関するものである。
【背景技術】
【０００２】
スーパーマーケット等の店舗内で、買物カゴを載せて移動するためのショッピングカートが知られている。
【０００３】
このようなショッピングカートは、従来からいくつかの改良が提案されており、たとえば、ショッピングカート同士を収納する際に、ハンドルの破損を防ぐために緩衝装置を設けたもの（特許文献１）、ショッピングカートの前方端部が、不用意に前方にいる人の足元に衝突するのを防ぐため、その前方端部にスカート部を設けたもの（特許文献２）、買物の際に手荷物をショッピングカートに係止させておくことができるように、ショッピングカートの後壁の上辺に係止片を設けたもの（特許文献３）などが知られている。
【０００４】
【特許文献１】特開昭４９−６３１４１号公報
【特許文献２】実開平５−５６５２号公報
【特許文献３】実開平５−１３８７６号公報
【０００５】
一般に、ショッピングカートは、買物が終わって、レジで支払いをしたり、購入した商品を袋詰めしたりする際に、ショッピングカートに、買物カゴを囲うようにして設けられた買物カゴ収容部から買物カゴを持ち上げて、レジテーブルや詰め替え作業テーブルに移動する必要がある。しかし、買物カゴの中に多数の商品が収納されている場合は、重量が重くなるため、このような上げ下ろし作業は、特に高齢者や身障者などにとって、きわめて負担であり、上げ下ろしの途中でショッピングカートに買物カゴを引っ掛けるなどして危険でもあった。
【考案の開示】
【考案が解決しようとする課題】
【０００６】
本考案は、上述した問題を解決するために提案されたものであり、ショッピングカートに載せた買物カゴを上げ下ろしすることなく、隣接するテーブル上に簡易且つ安全に水平移動することができるようにしたショッピングカートを提供することである。
【０００７】
また本考案は、ショッピングカートの買物カゴ収容部の高さを、前記テーブルの高さに応じて自在に調整できるようにしたショッピングカートを提供することである。
【０００８】
さらに本考案は、ショッピングカートに載せた買物カゴを水平移動させるため、簡単な構成で安価に実現できるショッピングカートを提供することである。
【課題を解決するための手段】
【０００９】
上述した課題を解決するため、本考案のショッピングカートは、
買物カゴを載せて移動するためのショッピングカートにおいて、
前記ショッピングカート本体の買物カゴ収容部の側面部に設けられた買物カゴ支持部材を開閉可能に構成することを特徴とする。
【００１０】
前記ショッピングカート本体は、下部にキャスタ等の移動手段が設けられ、上部に買物カゴ収容部が設けられており、把手部を持ちながら手押しで移動するものである。買物カゴ収容部は、買物カゴを載せるための底面部と、買物カゴの落下防止のため、買物カゴの側面部に設けられた支持部材を有しており、この買物支持部材の、買物カゴが通過するに充分な領域が開閉可能に構成される。
【００１１】
買物カゴ収容部は、全体を上面部開放型のボックス体に構成し、又は棒状フレームで買物カゴを囲うように構成することができる。また、ショッピングカートを前進方向に重ねて格納できるようにするため、買物カゴ収容部を、前端部に向かって幅狭となるようにし、底面部を前端部に向かって上向きに傾斜するようにするとともに、後面部を開閉可能に構成することもできる。買物カゴ収容部の底面部を上向きに傾斜させると、隣接するテーブル面と買物カゴ前端部にわずかに段差が生じるが、この場合でも、買物カゴを押し出すか、わずかに持ち上げるだけで買物カゴを移動させることができる。なお、前記買物カゴ支持部材の開閉機構は任意であり、たとえばヒンジ機構、スライド機構などである。
【００１２】
本考案の第２の手段によれば、前記買物カゴ支持部材は、買物カゴ収容部を構成する側面板であり、この側面板の下端部を支点として上下方向に開閉可能に構成するとともに、該側面板を閉じた状態で系止するための係止部材を設けたこと特徴とする。この側面板は網状、格子状に構成されているものが多く、その下端部にヒンジ機構等を設けて上下方向に開閉可能に構成される。また、係止部材は、側面板を閉じた状態で、たとえばショッピングカート同士が接触した際に簡単に解除されないような機構であれば任意であり、フック方式、スライドピン方式等が採用できる。
【００１３】
本考案の第３の手段によれば、前記係止部材は、前記側面板の横方向に延長して設けられた押さえ棒であり、該押さえ棒の一端部を回動部とし、他端部を止着部材に係止するように構成したことを特徴とする。前記押さえ棒の回動部及び止着部材は、前記側面板の横方向延長部に有する任意の部材に設けることができ、止着部材は、押さえ棒の他端部と容易に係脱することができる機構であればよい。
【００１４】
また本考案の第４の手段によれば、前記買物カゴ支持部材は、棒状フレームであり、該棒状フレームの一端部を回動部とし、他端部を止着部材に係止するように構成したことを特徴とする。棒状フレームの回動部及び止着部材は、隣接する買物カゴ支持部材や買物カゴ収容部の保持部等に設けることができる。
【００１５】
また本考案の第５の手段によれば、前記ショッピングカート本体の前記買物カゴ収容部の支持フレームを、上下動可能にし、前記買物カゴ収容部の高さを調節可能に構成したことを特徴とする。支持フレームを上下動させるための機構は任意であり、スライド方式、ネジ回転方式、ジャッキ方式等がある。
【考案の効果】
【００１６】
上述した請求項１の考案によれば、ショッピングカートに載せた買物カゴを上げ下ろしすることなく、買物カゴを押し出すだけで、隣接するレジテーブルや詰め替え作業テーブル等のテーブル上に水平移動することができる。また請求項２の考案によれば、買物カゴ支持部材である側面板を開いたとき、側面板が下方に開くため、周囲に邪魔にならずにショッピングカートを前記テーブルに横付けすることができ、しかも、移動時などで側面板を閉じるときは係止部材で係止できるため安全便利である。また請求項３の考案によれば、係止部材の構成が簡単であり、高齢者等にも容易に操作することができる。
【００１７】
さらに請求項４の考案によれば、買物カゴ支持部材と係止部材を簡単に構成することができ、操作も簡単であり、安価に製作することができる。また請求項５の考案によれば、レジテーブルや詰め替え作業テーブルの高さに応じて買物カゴ収容部の高さを調節し、これらテーブルに、買物カゴをスムースに移動することができる。
【考案を実施するための最良の形態】
【００１８】
次に本考案の実施形態を添付図面に従って説明する。図１及び図２に示すように、本考案のショッピングカート１は、台車部２と、この台車部２に立設された買物カゴ収容部支持フレーム３，３と、この支持フレーム３，３に支持された買物カゴ収容部４と、把手部５，５を有している。
【００１９】
台車部２は、前後左右にキャスタ６が設けられており、必要に応じてこの台車部２にも買物カゴを搭載できるようになっている。この台車部２は、ショッピングカート同士を前進方向に重ねて格納する場合は、前端方向に幅狭となるように構成される。
【００２０】
買物カゴ収容部支持フレーム３，３は、台車部２の後端部の左右に立設されている。これら支持フレーム３，３は、下部パイプ部７，7と、その内部にスライド可能に挿入される上部パイプ部８，８により構成されており、上部パイプ８，８は上方に延長され、先端部が内側に屈曲して前記把持部５，５が形成されている。下部パイプ７，７には固定ネジ９，９が設けられており、上部パイプ８，８を上下方向にスライドさせ、所定の高さに固定することができるようになっている。
【００２１】
上部パイプ８，８の途中には、買物カゴ収容部４が支持固定されている。買物カゴ収容部４は、全体が上面開放型のボックス形状に構成されており、その後端部に有する保持部１０，１０が上部パイプ８，８と固定されている。買物カゴ収容部４は、保持部１０，１０を除いて格子状又は網状に形成されており、図２に示す後面板１１は前後方向に開閉可能となっている。
【００２２】
買物カゴ収容部４の買物カゴ支持部材となる側面板１２（左右両側板又は一方の側面板）は、その下端部がヒンジ１６，１６等により買物カゴ収容部４の底面部に連結されており、図３に示すように上下方向に開閉可能になっている。この側面板１２となる部分は、買物カゴ収容部４に収容した買物カゴ１５を引き出すことができる領域である。
【００２３】
側面板１２は、閉じた状態で、係止部材となる押さえ棒１３により係止される。押さえ棒１３は、側面板１２の外側に、横方向（買物カゴ収容部４の長さ方向）に延びるように設けられる。その一端部は、側面板１２と隣接する買物カゴ収容部４の前端面の端縁部にピン等により回動可能に連結され、他端部は、前記保持部１０に設けられた止着部材となるフック１４に係止される。押さえ棒１３のフック側先端部は、安全のため、丸く潰したり、把手部材を設けたりすることができる。
【００２４】
上述した本考案のショッピングカート１によれば、買物カゴ１５を買物カゴ収容部４に載せて買物をした後、レジテーブル等の近くで、押さえ棒１３をフック１４から外すとともに、側面板１２を下方に回転させて開き、この状態でレジテーブルに横付けし、買物カゴ１５をレジテーブル上に水平に押し出して移動させるものである。
【００２５】
図４及び図５は、本考案の別の実施形態を示しており、買物カゴ収容部２０の買物カゴ支持部材が棒状フレームで構成され、側面部に有する棒状フレーム２１が開閉可能に構成されている。即ち、棒状フレーム２１は、一端部が先端棒状フレーム部２２（図４参照）にピン等により結合されて回動部２４となり、他端部が、図６及び図７に示すように買物カゴ収容部保持部１０，１０に固定されたフック２３に係止されるようになっている。これにより、側部棒状フレーム２１は、図５に示すようにフック２３から外すと、回動部２４を支点として下方に回転することになる。なお、側部棒状フレーム２１のフック２３側の先端部は、図７に示すように、内側に屈曲させて把手部としている。
【００２６】
その他、図４及び図５に示すショッピングカート１の台車部２、買物カゴ支持フレーム３の構成は、図１乃至図３に示すショッピングカートと同じである。
【００２７】
図４及び図５に示したショッピングカートによれば、買物カゴ１５を買物カゴ収容部２０に載せて買物をした後、レジテーブル等の近くで、側部棒状フレーム２１をフック２３から外し、この状態で、買物カゴ１５をテーブル上に水平に押し出すだけで移動することができる。
【図面の簡単な説明】
【００２８】
【図１】本考案のショッピングカートの正面図である。
【図２】本考案のショッピングカートの側面図である。
【図３】本考案のショッピングカートの側面板を開いた状態の側面図である。
【図４】本考案の別の実施態様のショッピングカートの側面図である。
【図５】本考案の別の実施態様のショッピングカートの側部棒状フレームを開いた状態の側面図である。
【図６】図４における側部棒状フレームの止着部材を示す拡大側面図である。
【図７】図４における側部棒状フレームの止着部材を示す一部断面拡大上面図である。
【符号の説明】
【００２９】
１はショッピングカート
２は台車部
３は買物カゴ支持フレーム
４は買物カゴ収容部
５は把手部
６はキャスタ
７は下部パイプ部
８は上部パイプ部
９は固定ネジ
１０は買物カゴ収容部保持部
１１は後面板
１２は側面板
１３は押さえ棒
１４はフック
１５は買物カゴ
１６はヒンジ
２０は買物カゴ収容部
２１は側部棒状フレーム
２２は先端棒状フレーム
２３はフック
２４は回動部
【図１】
0003106702.tif 000003
【図２】
0003106702.tif 000004
【図３】
0003106702.tif 000005
【図４】
0003106702.tif 000006
【図５】
0003106702.tif 000007
【図６】
0003106702.tif 000008
【図７】
0003106702.tif 000009